(57)【特許請求の範囲】
【請求項１】
建築壁で構成した戸袋を備えて吊戸は手で押し開いた場合に独りでに閉じることが出来る半自動式吊戸装置において、該戸袋を構成するパネルと石膏ボードの先端にはＬ型のコーナー材を取着すると共にこのコーナー材に縦桟をネジ止めにて着脱自在に取付け、縦桟は戸袋内側に概略Ｌ型断面をした係止部を突出して形成し、一方、吊戸の戸尻には戸尻部材を取着すると共に両面から突出する概略Ｌ型の係止片を形成し、吊戸が閉じた際には戸尻の係止片が縦桟の上記係止部に嵌って噛み合うことを特徴とする防火式吊戸装置。
【発明の詳細な説明】
【０００１】
【発明の属する技術分野】
本発明は建築壁で構成した戸袋を備えた防火式の吊戸装置及び戸袋入口に取着される縦桟の取付け構造に関するものである。
【０００２】
【従来の技術】
図３は戸袋５１を備えている一般的な吊戸装置を示している横断面図である。戸袋５１は所定の間隔をおいて据え付けられている2枚のパネル５２，５２にて構成され、吊戸５３が間口を開くならば戸袋５１に収納される。吊戸５３は上レールに吊設されてスライド可能と成っており、床面にはガイドローラが起立していて吊戸下端のガイド溝に嵌って吊戸５３が横振れしないように成っている。
【０００３】
ところで、このように構成している吊戸装置では吊戸５３と戸袋５１との間には隙間５４，５４が残されていて、火災が発生した際にはこの隙間５４，５４から火が侵入して隣の部屋を延焼してしまう。又煙が該隙間５４，５４から流れて隣の部屋に煙が直に充満してしまう。一方、火災時の熱によって戸袋パネル５２や吊戸５３が反り変形してこの隙間５４は一段と拡大してしまう。
【０００４】
【発明が解決しようとする課題】
このように従来の吊戸装置には上記のごとき問題がある。本発明が解決しようとする課題はこの問題点であり、建築壁で構成する戸袋を備えた吊戸装置において、吊戸と戸袋間の隙間から火災時の炎が漏れて延焼することを防止出来る吊戸装置、特に戸袋入口に設けられる縦桟の取付け構造に特徴を持つ吊戸装置と該縦桟の取付け構造を提供する。
【０００５】
【課題を解決する為の手段】
火災が発生した場合、吊戸装置の吊戸は独りでに閉じることが出来るように構成することが出来る。例えば吊戸を僅かに傾斜した上レールに吊設する場合、完全開口状態にある吊戸は自重の作用で閉じないように係止具に係止しているが、火災が発生することで煙を感知してソレノイドが動作し、上記係止具が吊戸を解除する。従って吊戸は直ちに間口を閉鎖するが、閉じた状態で戸袋との間に大きな隙間が残るのでは、この隙間から火が漏れて隣の部屋が延焼してしまう。
【０００６】
そこで、本発明では戸袋の入口に縦桟を設け、この縦桟と吊戸間の隙間を出来る限り無くすように構成している。吊戸にはその戸尻に戸尻部材を取付け、吊戸が閉じた際には戸尻部材と縦桟に形成した係止部が噛み合って、間に生じる隙間を極力小さくしている。そして単に隙間防止だけでなく、噛み合わせることで火災時の熱による反り変形を防止し、隙間の拡大を抑制する構造としている。
【０００７】
一方、本発明の戸袋入口に設けられる縦桟は着脱自在な取付け構造と成っている点に特徴がある。この戸袋は前記図３に示すように、パネルを後付けする構造ではなく、建物壁の一部に設けた戸袋であり、この戸袋入口に縦桟を固定してしまったのでは吊戸を後で吊設することが出来なくなる。そこで、上レールに吊戸を吊設した後で該縦桟を取付ける構造としている。勿論、縦桟がない為に戸尻部材を取付けていても吊戸の吊設には何ら支障がない。以下、本発明に係る実施例を図面に基づいて詳細に説明する。
【０００８】
【実施例】
図１は本発明に係る吊戸装置の横断面であり、吊戸が間口を閉じている場合を示している。吊戸１はペーパーコアを芯として両面に表面材を貼り合せたものであり、上端には吊車が取着されて上レールに吊設されている。この上レールが僅かに傾斜しているならば、手で押し開いた吊戸1は自重の作用で独りでに閉じることが出来る。
【０００９】
勿論、ゼンマイバネ等で引張ることの出来る自閉装置を備えるならば、上レールを傾斜しなくても自動閉鎖は可能である。そして、このように半自動式吊戸装置の場合には、手で押し開いた吊戸は自動閉鎖することは出来るが、完全開口した場合にそのままの状態で保つことが必要であって、例えば板バネ等で構成した係止具を取付けて完全に押し開かれた吊戸に係止することが出来る。
【００１０】
ところが、開口状態である時に火災が発生したならば、延焼を防止する為にも吊戸は閉じなくてはならず、上記係止状態を解除するように解除装置を備える。例えば、出願人が平成１１年8月３０日付けで行った特許出願(特願平１１−２４２４４２号)に係る煙感知機能を具備した吊戸装置とするならば、火災時の煙を感知してソレノイドが動作し、解除装置によって係止具は吊戸を解放することで自動閉鎖する。
【００１１】
図１は本発明の吊戸装置の吊戸1が閉じている場合を示しているが、吊戸1の戸尻にはコ型断面の戸尻部材２が取着されていて、この戸尻部材２は戸袋３の入口に設けている縦桟４，４と噛み合っている。すなわち、縦桟4は戸袋の内側へＬ型断面をした係止部5を有し、この係止部5には戸尻部材2の側端をＬ型に屈曲して形成している係止片6が嵌っている。
【００１２】
ここで吊戸装置の戸袋3は間仕切りパネルを後付けして構成しているものではなく、建築壁の一部として構成されている。戸袋空間の奥にはスタットを起立し、このスタッド7に石こうボードを裏打ち材としたパネル８，８が取着され、このパネル８，８には石こうボード９，９が重なり合って取付けられている。従って、吊戸1を上レールに吊設する際には、上記パネル8及び石こうボード9を解体することは出来ず、戸袋3の入口から吊戸１を入れて吊設しなくてはならない。
【００１３】
しかし、同図に示すように吊戸1の戸尻には、両面から突出した戸尻部材２が取着されている為に、戸袋3の入口に縦桟４，４が存在していたのでは該吊戸1を吊設出来ないことになる。そこで、本発明ではこの縦桟4を取外し可能な取付け構造としていて、吊戸1を吊設した後で縦桟４，４を取着することが出来る。重なり合っているパネル8と石こうボード９の先端にはＬ型のコーナー材１０が取着されていて、このコーナー材１０に縦桟４がネジ止めされ、ネジ１１をカバーする目地材１２が凹部に嵌っている。
【００１４】
ところで、吊戸1が閉じた状態では縦桟４に形成した係止部5に戸尻部材2の係止片6が噛み合い、火災時の炎が係止部5と係止片6との噛み合い隙間を通過することを抑制し、隣の部屋の延焼を防止することが出来る。又戸袋3及び吊戸１に炎が当って高熱に曝される場合、吊戸1及び戸袋パネルは熱で反り変形するが、係止部5に戸尻部材2の係止片6が噛み合っていることで、この変形を防止出来る。すなわち、反り変形に基づく隙間の拡大を防止する構造としている。
【００１５】
図２(ａ)〜(ｃ)は戸袋入口に取付けている縦桟4の具体例を示している。これらの他にも色々な形態とすることが出来るが、戸袋の内側には概略Ｌ型断面の係止部5を形成し、この係止部5に戸尻部材2の係止片6が嵌って噛み合うことが出来る構造となっている。
【００１６】
以上述べたように、本発明の吊戸装置は戸袋の入口に係止部を内側に形成した縦桟を着脱自在に取付け、吊戸の戸尻には両面側へ突出した係止片を有す戸尻部材を取着し、吊戸が閉じた際には係止片が係止部に嵌って噛み合うことが出来るようにしたものであり、次のような効果を得ることが出来る。
【００１７】
【発明の効果】
本発明の戸袋入口には縦桟が取着され、この縦桟は着脱自在と成っている。そしてこの縦桟に形成している係止部には吊戸の戸尻に取着した戸尻部材の係止片が嵌って噛み合うことが出来る為に、火災が発生しても隙間から炎が漏れることはない。又、煙の侵入を抑制することが出来る。そして火災時の熱によって吊戸や戸袋パネルが反り変形しても、係止部と係止片の噛み合いによって隙間が拡大しないようになっている為に炎の漏れを防止出来る。一方、縦桟はネジ止めなどで取り外し出来る取付け構造である為に、吊戸を上レールに吊設する場合には、この縦桟を外した状態で行われ、吊戸の吊設作業が完了した後で該縦桟の取付けが可能と成る。
【図面の簡単な説明】
【図１】本発明の吊戸装置を示す横断面図。
【図２】戸袋入口に取付けている縦桟の具体例。
【図３】従来の吊戸装置。
【符号の説明】
１  吊戸
２  戸尻部材
３  戸袋
４  縦桟
５  係止部
６  係止片
７  スタッド
８  パネル
９  石こうボード
10  コーナー材
11  ネジ
12  目地材
【図１】
0003731180.tif 000002
【図２】
0003731180.tif 000003
【図３】
0003731180.tif 000004